(57)【要約】【課題】無線伝送経路も外観もシンプルなマルチチャンネル音声情報対応型のクライアント・サーバシステムを提供する。【解決手段】圧縮されたＭＣ音声情報を送信するサーバ装置１と、当該圧縮されたＭＣ音声情報を受信するクライアント端末装置５と、を備えるクライアント・サーバシステムＳにおいて、クライアント端末装置５に、当該圧縮されたＭＣ音声情報を復元するデコーダ５３と、当該復元されたＭＣ音声情報のうち、第１のチャンネルの非圧縮音声情報を出力させる第１の出力制御プログラム５４３１を実行したＣＰＵ５４１と、当該復元されたＭＣ音声情報のうち、第２のチャンネルの非圧縮音声情報を送信する送信制御プログラム５４３２を実行したＣＰＵ５４１と、を備え、サーバ装置１に、当該送信された第２のチャンネルの非圧縮音声情報を出力させる第２の出力制御プログラム１４３１を実行したＣＰＵ１４１と、を備えるよう構成した。【選択図】図２
2007116341.tif 000002
【特許請求の範囲】
【請求項１】
圧縮されたマルチチャンネル音声情報と映像情報とを含むＡＶ情報を送信する第１の通信手段を有するサーバ装置と、前記サーバ装置と無線ネットワークを介して接続され、前記第１の通信手段により送信されたＡＶ情報を受信する第２の通信手段を有するクライアント端末装置と、を備えるクライアント・サーバシステムにおいて、
前記クライアント端末装置は、
前記第２の通信手段により受信されたＡＶ情報を復元する復元手段と、
前記復元手段により復元されたＡＶ情報のマルチチャンネル音声情報のうち、一乃至複数の第１のチャンネルの非圧縮音声情報を、第１の音声出力手段に出力させる第１の出力制御手段と、
前記復元手段により復元されたＡＶ情報のマルチチャンネル音声情報のうち、前記第１のチャンネルと異なる一乃至複数の第２のチャンネルの非圧縮音声情報を、前記第１の出力制御手段により前記第１の音声出力手段に出力される第１のチャンネルの非圧縮音声情報に同期させながら、前記第２の通信手段を介して前記第１の通信手段に送信する送信制御手段と、
を備え、
前記サーバ装置は、
前記送信制御手段により前記第２の通信手段を介して送信され、前記第１の通信手段により受信された第２のチャンネルの非圧縮音声情報を、第２の音声出力手段に出力させる第２の出力制御手段と、
を備えることを特徴とするクライアント・サーバシステム。
【請求項２】
圧縮されたマルチチャンネル音声情報を送信する第１の通信手段を有するサーバ装置と、前記サーバ装置と無線ネットワークを介して接続され、前記第１の通信手段により送信されたマルチチャンネル音声情報を受信する第２の通信手段を有するクライアント端末装置と、を備えるクライアント・サーバシステムにおいて、
前記クライアント端末装置は、
前記第２の通信手段により受信されたマルチチャンネル音声情報を復元する復元手段と、
前記復元手段により復元されたマルチチャンネル音声情報のうち、一乃至複数の第１のチャンネルの非圧縮音声情報を、第１の音声出力手段に出力させる第１の出力制御手段と、
前記復元手段により復元されたマルチチャンネル音声情報のうち、一乃至複数の第２のチャンネルの非圧縮音声情報を、前記第１の出力制御手段により前記第１の音声出力手段に出力される第１のチャンネルの非圧縮音声情報に同期させながら、前記第２の通信手段を介して前記第１の通信手段に送信する送信制御手段と、
を備え、
前記サーバ装置は、
前記送信制御手段により前記第２の通信手段を介して送信され、前記第１の通信手段により受信された第２のチャンネルの非圧縮音声情報を、第２の音声出力手段に出力させる第２の出力制御手段と、
を備えることを特徴とするクライアント・サーバシステム。
【発明の詳細な説明】
【技術分野】
【０００１】
本発明は、クライアント・サーバシステムに関する。
【背景技術】
【０００２】
従来、マルチチャンネルの音声情報を出力することができるオーディオ装置が知られている。このようなオーディオ装置においては、例えば、センタースピーカと、左右のフロントスピーカと、左右のリアスピーカとを有し、これらのスピーカは、それぞれ接続コードによってオーディオ装置本体と接続されているのが一般的であった。しかしながら、特に、左右のリアスピーカはオーディオ装置本体と離れた位置に設置されるため、左右のリアスピーカを接続する接続コードはオーディオ装置を設置した部屋内を横断することになり、接続コードが邪魔である、部屋内の美観が損なわれるなどの問題が生じていた。
【０００３】
そこで、オーディオ装置本体と、左右のリアスピーカとが、無線通信することができるオーディオ装置が提案された。具体的には、例えば、オーディオ装置本体から左右のリアスピーカへ、「リア左」及び「リア右」の音声情報を秘匿性の高い変調方式により変調して無線送信するオーディオ装置（例えば、特許文献１参照）が提案された。また、例えば、混線や他の電波に干渉されることなく高品質の音声情報を無線送信するオーディオシステム（例えば、特許文献２参照）なども提案されている。
【特許文献１】実用新案登録第３０７２０５７号公報
【特許文献２】特開平１１−１７８０８８号公報
【発明の開示】
【発明が解決しようとする課題】
【０００４】
ところで、近年、サーバ装置側で外部機器から音声情報や映像情報を含むＡＶ（Audio and Visual）情報を取得し、クライアント端末装置側で当該ＡＶ情報を出力するクライアント・サーバシステムが知られている。このようなクライアント・サーバシステムにおいては、サーバ装置からクライアント端末装置へ、ＡＶ情報が無線送信されるようになっている。
例えば、外部機器がＤＶＤ（Digital Versatile Disc）プレイヤーやデジタル放送用のチューナである場合には、音声情報はマルチチャンネルの音声情報となる。この際、「リア左」及び「リア右」の音声情報を、例えば、クライアント端末装置と接続コードで接続された左右のリアスピーカから出力するようにすると、従来のオーディオ装置と同様、接続コードが邪魔である、部屋内の美観が損なわれるという問題が生じることとなる。そこで、クライアント端末装置を、例えば、特許文献１に記載のオーディオ装置本体や特許文献２に記載のオーディオシステム本体に見立てて、クライアント端末装置から左右のリアスピーカへ、「リア左」及び「リア右」の音声情報を無線送信することが考えられるが、この場合、サーバ装置からクライアント端末装置へＡＶ情報を送信する既存の無線伝送経路の他に、クライアント端末装置から左右のリアスピーカへ「リア左」及び「リア右」の音声情報を送信する新たな無線伝送経路が必要となって、無線伝送経路が複雑化するという問題がある。
【０００５】
本発明の課題は、無線伝送経路も外観もシンプルなマルチチャンネル音声情報対応型のクライアント・サーバシステムを提供することにある。
【課題を解決するための手段】
【０００６】
上記課題を解決するために、請求項１に記載の発明は、圧縮されたマルチチャンネル音声情報と映像情報とを含むＡＶ情報を送信する第１の通信手段を有するサーバ装置と、前記サーバ装置と無線ネットワークを介して接続され、前記第１の通信手段により送信されたＡＶ情報を受信する第２の通信手段を有するクライアント端末装置と、を備えるクライアント・サーバシステムにおいて、前記クライアント端末装置は、前記第２の通信手段により受信されたＡＶ情報を復元する復元手段と、前記復元手段により復元されたＡＶ情報のマルチチャンネル音声情報のうち、一乃至複数の第１のチャンネルの非圧縮音声情報を、第１の音声出力手段に出力させる第１の出力制御手段と、前記復元手段により復元されたＡＶ情報のマルチチャンネル音声情報のうち、前記第１のチャンネルと異なる一乃至複数の第２のチャンネルの非圧縮音声情報を、前記第１の出力制御手段により前記第１の音声出力手段に出力される第１のチャンネルの非圧縮音声情報に同期させながら、前記第２の通信手段を介して前記第１の通信手段に送信する送信制御手段と、を備え、前記サーバ装置は、前記送信制御手段により前記第２の通信手段を介して送信され、前記第１の通信手段により受信された第２のチャンネルの非圧縮音声情報を、第２の音声出力手段に出力させる第２の出力制御手段と、を備えることを特徴とする。
【０００７】
請求項２に記載の発明は、圧縮されたマルチチャンネル音声情報を送信する第１の通信手段を有するサーバ装置と、前記サーバ装置と無線ネットワークを介して接続され、前記第１の通信手段により送信されたマルチチャンネル音声情報を受信する第２の通信手段を有するクライアント端末装置と、を備えるクライアント・サーバシステムにおいて、前記クライアント端末装置は、前記第２の通信手段により受信されたマルチチャンネル音声情報を復元する復元手段と、前記復元手段により復元されたマルチチャンネル音声情報のうち、一乃至複数の第１のチャンネルの非圧縮音声情報を、第１の音声出力手段に出力させる第１の出力制御手段と、前記復元手段により復元されたマルチチャンネル音声情報のうち、一乃至複数の第２のチャンネルの非圧縮音声情報を、前記第１の出力制御手段により前記第１の音声出力手段に出力される第１のチャンネルの非圧縮音声情報に同期させながら、前記第２の通信手段を介して前記第１の通信手段に送信する送信制御手段と、を備え、前記サーバ装置は、前記送信制御手段により前記第２の通信手段を介して送信され、前記第１の通信手段により受信された第２のチャンネルの非圧縮音声情報を、第２の音声出力手段に出力させる第２の出力制御手段と、を備えることを特徴とする。
【発明の効果】
【０００８】
請求項１に記載の発明によれば、圧縮されたマルチチャンネル音声情報と映像情報とを含むＡＶ情報を送信する第１の通信手段を有するサーバ装置と、サーバ装置と無線ネットワークを介して接続され、第１の通信手段により送信されたＡＶ情報を受信する第２の通信手段を有するクライアント端末装置と、を備えるクライアント・サーバシステムにおいて、クライアント端末装置が備える復元手段によって、第２の通信手段により受信されたＡＶ情報を復元することができ、クライアント端末装置が備える第１の出力制御手段によって、復元手段により復元されたＡＶ情報のマルチチャンネル音声情報のうち、一乃至複数の第１のチャンネルの非圧縮音声情報を、第１の音声出力手段に出力させることができ、クライアント端末装置が備える送信制御手段によって、復元手段により復元されたＡＶ情報のマルチチャンネル音声情報のうち、第１のチャンネルと異なる一乃至複数の第２のチャンネルの非圧縮音声情報を、第１の出力制御手段により第１の音声出力手段に出力される第１のチャンネルの非圧縮音声情報に同期させながら、第２の通信手段を介して第１の通信手段に送信することができ、サーバ装置が備える第２の出力制御手段によって、送信制御手段により前記第２の通信手段を介して送信され、第１の通信手段により受信された第２のチャンネルの非圧縮音声情報を、第２の音声出力手段に出力させることができる。
したがって、サーバ装置からクライアント端末装置へＡＶ情報を送信する既存の無線伝送経路を用いて、クライアント端末装置からサーバ装置へ第２のチャンネルの非圧縮音声情報を送信することができ、さらに、サーバ装置に第２のチャンネルの非圧縮音声情報を出力するための第２の音声出力手段が接続されているため、接続コードが邪魔になるなどの問題も生じない。すなわち、無線伝送経路も外観もシンプルなマルチチャンネル音声情報対応型のクライアント・サーバシステムとすることができる。
また、クライアント端末装置からサーバ装置へ送信されるのは、非圧縮の音声情報であるため、既存のクライアント端末装置に、新たに、情報を圧縮するための手段を備える必要がなく、都合がよい。
さらに、クライアント端末装置からサーバ装置へ送信されるのは、音声情報であるため、非圧縮であっても、送信の際に生じる伝送遅延は、人間の視聴特性からすれば無視できるほど小さい遅延となって、聞き心地の良好なマルチチャンネル音声情報対応型のクライアント・サーバシステムとすることができる。
【０００９】
請求項２に記載の発明によれば、圧縮されたマルチチャンネル音声情報を送信する第１の通信手段を有するサーバ装置と、サーバ装置と無線ネットワークを介して接続され、第１の通信手段により送信されたマルチチャンネル音声情報を受信する第２の通信手段を有するクライアント端末装置と、を備えるクライアント・サーバシステムにおいて、クライアント端末装置が備える復元手段によって、第２の通信手段により受信されたマルチチャンネル音声情報を復元することができ、クライアント端末装置が備える第１の出力制御手段によって、復元手段により復元されたマルチチャンネル音声情報のうち、一乃至複数の第１のチャンネルの非圧縮音声情報を、第１の音声出力手段に出力させることができ、クライアント端末装置が備える送信制御手段によって、復元手段により復元されたマルチチャンネル音声情報のうち、一乃至複数の第２のチャンネルの非圧縮音声情報を、第１の出力制御手段により第１の音声出力手段に出力される第１のチャンネルの非圧縮音声情報に同期させながら、第２の通信手段を介して第１の通信手段に送信することができ、サーバ装置が備える第２の出力制御手段によって、送信制御手段により第２の通信手段を介して送信され、第１の通信手段により受信された第２のチャンネルの非圧縮音声情報を、第２の音声出力手段に出力させることができる。
したがって、サーバ装置からクライアント端末装置へマルチチャンネル音声情報を送信する既存の無線伝送経路を用いて、クライアント端末装置からサーバ装置へ第２のチャンネルの非圧縮音声情報を送信することができ、さらに、サーバ装置に第２のチャンネルの非圧縮音声情報を出力するための第２の音声出力手段が接続されているため、接続コードが邪魔になるなどの問題も生じない。すなわち、無線伝送経路も外観もシンプルなマルチチャンネル音声情報対応型のクライアント・サーバシステムとすることができる。
また、クライアント端末装置からサーバ装置へ送信されるのは、非圧縮の音声情報であるため、既存のクライアント端末装置に、新たに、情報を圧縮するための手段を備える必要がなく、都合がよい。
さらに、クライアント端末装置からサーバ装置へ送信されるのは、音声情報であるため、非圧縮であっても、送信の際に生じる伝送遅延は、人間の視聴特性からすれば無視できるほど小さい遅延となって、聞き心地の良好なマルチチャンネル音声情報対応型のクライアント・サーバシステムとすることができる。
【発明を実施するための最良の形態】
【００１０】
以下、図を参照して、本発明にかかるクライアント・サーバシステムの最良の形態を詳細に説明する。なお、発明の範囲は、図示例に限定されない。
【００１１】
＜クライアント・サーバシステムの構成＞
まず、クライアント・サーバシステムＳの構成について、図１及び図２を参照して説明する。
クライアント・サーバシステムＳは、例えば、図１に示すように部屋Ｒに設置されている。
具体的には、例えば、クライアント・サーバシステムＳのサーバ装置１と、サーバ装置１に接続された外部機器２とは、部屋Ｒ内に居る視聴者Ａの後面中央に設置されており、サーバ装置１に接続されたリア左スピーカ３１は、視聴者Ａの後面左側に設置されており、サーバ装置１に接続されたリア右スピーカ３２は、視聴者Ａの後面右側に設置されている。そして、例えば、クライアント・サーバシステムＳのクライアント端末装置５と、クライアント端末装置５に接続されたセンタースピーカ６１及び映像表示部７とは、視聴者Ａの前面中央に設置されており、クライアント端末装置５に接続されたフロント左スピーカ６２は、視聴者Ａの前面左側に設置されており、クライアント端末装置５に接続されたフロント右スピーカ６３は、視聴者Ａの前面右側に設置されている。
【００１２】
クライアント・サーバシステムＳが備えるサーバ装置１とクライアント端末装置５とは、例えば、図２に示すように、無線ネットワークＮを介して接続されている。
【００１３】
無線ネットワークＮは、例えば、例えば、IEEE（Institute of Electrical and Electronic Engineers）802.11規格などに準じた無線ＬＡＮ（Local Area Network）などのネットワークである。
【００１４】
[サーバ装置の構成]
サーバ装置１は、例えば、図２に示すように、エンコーダ１１と、ベースバンド部１２と、制御部１４と、などを備えている。各部は、バスＢ１によって接続されている。
また、サーバ装置１は、ベースバンド部１２に接続されたＲＦ（Radio Frequency）部１３を備えている。
また、サーバ装置１は、外部機器２と、第２の音声出力部３と、などを接続している。
【００１５】
外部機器２は、具体的には、例えば、サーバ装置１のエンコーダ１１に接続されている。
外部機器２は、例えば、テレビジョン装置、ビデオレコーダ、ＰＶＲ（Personal Video Recorder）、ＢＳ（Broadcasting Satellite）放送やＣＳ（Communication Satellite）放送のチューナ、ＳＴＢ（Set Top Box）、ＤＶＤ（Digital Versatile Disk）プレイヤー、オーディオ装置など、サーバ装置１に音声情報（非圧縮音声情報）と映像情報（非圧縮音声情報）とを含むＡＶ情報（非圧縮ＡＶ情報）を出力することができる好適な機器であれば任意である。
ここで、外部機器２から出力される音声情報は、例えば、５チャンネル（「センター」、「フロント左」、「フロント右」、「リア左」及び「リア右」）の音声情報を含むマルチチャンネル音声情報（以下、「ＭＣ音声情報」という）である。
本実施の形態においては、第１のチャンネルは、例えば、「センター」、「フロント左」及び「フロント右」の３チャンネルを指し、第２のチャンネルは、例えば、「リア左」及び「リア右」の２チャンネルを指すこととする。
【００１６】
第２の音声出力部３は、具体的には、例えば、サーバ装置１のベースバンド部１２に接続されており、例えば、図２に示すように、リア左スピーカ３１と、リア右スピーカ３２と、などを有している。
具体的には、第２の音声出力部３は、例えば、第２の音声出力手段として、第２の出力制御プログラム１４３１を実行したＣＰＵ１４１（後述）が第２のチャンネルの非圧縮音声情報を出力する際に使用される。
リア左スピーカ３１は、例えば、ベースバンド部１２から出力された「リア左」の非圧縮音声情報に基づいて音声の出力を行う。
リア右スピーカ３２は、例えば、ベースバンド部１２から出力された「リア右」の非圧縮音声情報に基づいて音声の出力を行う。
【００１７】
エンコーダ１１は、制御部１４からの指示に従って、例えば、外部機器２から出力された非圧縮ＡＶ情報を、同期させながら、所定のファイル形式（例えば、ＭＰＥＧ−２（Moving Picture Experts Group phase 2）形式など）の圧縮ＡＶ情報に圧縮して、ベースバンド部１２に出力する。
具体的には、圧縮ＡＶ情報には、圧縮ＭＣ音声情報と、圧縮映像情報と、同期情報と、などが含まれている。
【００１８】
ベースバンド部１２は、制御部１４からの指示に従って、例えば、所定の情報に、無線ネットワークＮの規格に準じた符号化又は復号化を施す回路である。
具体的には、ベースバンド部１２は、例えば、エンコーダ１１から出力された圧縮ＡＶ情報を符号化することによって圧縮ＡＶ情報のベースバンド信号を生成して、ＲＦ部１３に出力する。
また、ベースバンド部１２は、例えば、ＲＦ部１３から出力された第２のチャンネルの非圧縮音声情報のベースバンド信号を復号化して、第２の音声出力部３に出力する。
【００１９】
ＲＦ部１３は、例えば、アンテナ１３１と、パワーアンプ（図示省略）と、ミキサ（図示省略）と、フィルタ（図示省略）と、変調器（図示省略）と、復調器（図示省略）と、などを有している。
具体的には、ＲＦ部１３は、例えば、ベースバンド部１２から出力された圧縮ＡＶ情報のベースバンド信号を変調器（図示省略）により変調して、ミキサ（図示省略）やフィルタ（図示省略）を介して圧縮ＡＶ情報の送信波に変換して、パワーアンプ（図示省略）により増幅する。そして、当該増幅した圧縮ＡＶ情報の送信波を、アンテナ１３１により、クライアント端末装置５のアンテナ５１１（後述）に送信する。
また、ＲＦ部１３は、例えば、クライアント端末装置５のアンテナ５１１（後述）により送信されてアンテナ１３１により受信された第２のチャンネルの非圧縮音声情報の送信波をパワーアンプ（図示省略）により増幅して、フィルタ（図示省略）やミキサ（図示省略）を介して変調波を抽出して、復調器（図示省略）により復調することによって、第２のチャンネルの非圧縮音声情報のベースバンド信号を取得する。そして、当該取得した第２のチャンネルの非圧縮音声情報のベースバンド信号を、ベースバンド部１２に出力する。
【００２０】
ここで、第１の通信手段は、ベースバンド部１２と、ＲＦ部１３と、アンテナ１３１とにより構成される。
【００２１】
制御部１４は、例えば、図２に示すように、ＣＰＵ（Central Processing Unit）１４１と、ＲＡＭ（Random Access Memory）１４２と、記憶部１４３と、などを備えている。
【００２２】
ＣＰＵ１４１は、記憶部１４３に記憶されたサーバ装置１用の各種処理プログラムに従って各種の制御動作を行う。
【００２３】
ＲＡＭ１４２は、ＣＰＵ１４１によって実行される処理プログラムなどを展開するためのプログラム格納領域や、入力データや上記処理プログラムが実行される際に生じる処理結果などを格納するデータ格納領域などを備える。
【００２４】
記憶部１４３は、サーバ装置１で実行可能なシステムプログラム、当該システムプログラムで実行可能な各種処理プログラム、これら各種処理プログラムを実行する際に使用されるデータ、ＣＰＵ１４１によって演算処理された処理結果のデータなどを記憶する。なお、プログラムは、コンピュータが読み取り可能なプログラムコードの形で記憶部１４３に記憶されている。
具体的には、記憶部１４３には、例えば、図２に示すように、第２の出力制御プログラム１４３１などが記憶されている。
【００２５】
第２の出力制御プログラム１４３１は、クライアント端末装置５の送信制御プログラム５４３２を実行したＣＰＵ５４１（後述）によりクライアント端末装置５のベースバンド部５２（後述）、ＲＦ部５１（後述）及びアンテナ５１１（後述）を介して送信され、アンテナ１３１、ＲＦ部１３及びベースバンド部１２により受信された第２のチャンネルの非圧縮音声情報を、第２の音声出力部３に出力させる機能を、ＣＰＵ１４１に実現させる。
具体的には、ＣＰＵ１４１は、ベースバンド部１２に指示を出して、第２のチャンネルの非圧縮音声情報を、第２の音声出力部３に出力させる。
ＣＰＵ１９１は、かかる第２の出力制御プログラム１４３１を実行することによって、第２の出力制御手段として機能する。
【００２６】
[クライアント端末装置の構成]
クライアント端末装置５は、例えば、図２に示すように、ベースバンド部５２と、デコーダ５３と、制御部５４と、などを備えている。各部は、バスＢ５によって接続されている。
また、クライアント端末装置５は、ベースバンド部５２に接続されたＲＦ部５１を備えている。
また、クライアント端末装置５は、第１の音声出力部６と、映像表示部７と、などを接続している。
【００２７】
第１の音声出力部６は、具体的には、例えば、クライアント端末装置５のデコーダ５３に接続されており、例えば、図２に示すように、センタースピーカ６１と、フロント左スピーカ６２と、フロント右スピーカ６３と、などを有している。
具体的には、第１の音声出力部６は、例えば、第１の音声出力手段として、第１の出力制御プログラム５４３１を実行したＣＰＵ５４１（後述）が第１のチャンネルの非圧縮音声情報を出力する際に使用される。
センタースピーカ６１は、例えば、デコーダ５３から出力された「センター」の非圧縮音声情報に基づいて音声の出力を行う。
フロント左スピーカ６２は、例えば、デコーダ５３から出力された「フロント左」の非圧縮音声情報に基づいて音声の出力を行う。
フロント右スピーカ６３は、例えば、デコーダ５３から出力された「フロント右」の非圧縮音声情報に基づいて音声の出力を行う。
【００２８】
映像表示部７は、具体的には、例えば、クライアント端末装置５のデコーダ５３に接続されており、ＬＣＤ（Liquid Crystal Display）パネルなどから構成されている。
具体的には、映像表示部７は、例えば、第１の出力制御プログラム５４３１を実行したＣＰＵ５４１（後述）が非圧縮映像情報を出力する際に使用される。
【００２９】
ＲＦ部５１は、例えば、アンテナ５１１と、パワーアンプ（図示省略）と、ミキサ（図示省略）と、フィルタ（図示省略）と、変調器（図示省略）と、復調器（図示省略）と、などを有している。
具体的には、ＲＦ部５１は、例えば、サーバ装置１のアンテナ１３１により送信されてアンテナ５１１により受信された圧縮ＡＶ情報の送信波をパワーアンプ（図示省略）により増幅して、フィルタ（図示省略）やミキサ（図示省略）を介して変調波を抽出して、復調器（図示省略）により復調することによって、圧縮ＡＶ情報のベースバンド信号を取得する。そして、当該取得した圧縮ＡＶ情報のベースバンド信号を、ベースバンド部５２に出力する。
また、ＲＦ部５１は、例えば、ベースバンド部５２から出力された第２のチャンネルの非圧縮音声情報のベースバンド信号を変調器（図示省略）により変調して、ミキサ（図示省略）やフィルタ（図示省略）を介して第２のチャンネルの非圧縮音声情報の送信波に変換して、パワーアンプ（図示省略）により増幅する。そして、当該増幅した第２のチャンネルの非圧縮音声情報の送信波を、アンテナ５１１により、サーバ装置１のアンテナ１３１に送信する。
【００３０】
ベースバンド部５２は、制御部５４からの指示に従って、例えば、所定の情報に、無線ネットワークＮの規格に準じた符号化又は復号化を施す回路である。
具体的には、ベースバンド部５２は、例えば、ＲＦ部５１から出力された圧縮ＡＶ情報のベースバンド信号を復号化して、デコーダ５３に出力する。
また、ベースバンド部５２は、例えば、デコーダ５３から出力された第２のチャンネルの非圧縮音声情報を符号化することによって第２のチャンネルの非圧縮音声情報のベースバンド信号を生成して、ＲＦ部５１に出力する。
【００３１】
ここで、第２の通信手段は、アンテナ５１１と、ＲＦ部５１と、ベースバンド部５２とにより構成される。
【００３２】
デコーダ５３は、制御部５４からの指示に従って、例えば、復元手段として、アンテナ５１１、ＲＦ部５１及びベースバンド部５２により受信されてベースバンド部５２から出力された圧縮ＡＶ情報を、同期させながら、非圧縮ＡＶ情報に復元する。そして、当該非圧縮ＡＶ情報から、非圧縮ＭＣ音声情報と非圧縮映像情報と同期情報となどを分離抽出して出力する。
具体的には、デコーダ５３は、同期情報を、制御部５４に出力する。
また、デコーダ５３は、第１の出力制御プログラム５４３１を実行したＣＰＵ５４１（後述）からの指示に従って、非圧縮ＭＣ音声情報のうちの第１のチャンネルの非圧縮音声情報を、第１の音声出力部６に出力する。
また、デコーダ５３は、送信制御プログラム５４３２を実行したＣＰＵ５４１（後述）からの指示に従って、非圧縮ＭＣ音声情報のうちの第２のチャンネルの非圧縮音声情報を、ベースバンド部５２に出力する。
また、デコーダ５３は、第１の出力制御プログラム５４３１を実行したＣＰＵ５４１（後述）からの指示に従って、非圧縮映像情報を、映像表示部７に出力する。
【００３３】
制御部５４は、例えば、図２に示すように、ＣＰＵ５４１と、ＲＡＭ５４２と、記憶部５４３と、などを備えている。
【００３４】
ＣＰＵ５４１は、記憶部５４３に記憶されたクライアント端末装置５用の各種処理プログラムに従って各種の制御動作を行う。
【００３５】
ＲＡＭ５４２は、ＣＰＵ５４１によって実行される処理プログラムなどを展開するためのプログラム格納領域や、入力データや上記処理プログラムが実行される際に生じる処理結果などを格納するデータ格納領域などを備える。
【００３６】
記憶部５４３は、クライアント端末装置５で実行可能なシステムプログラム、当該システムプログラムで実行可能な各種処理プログラム、これら各種処理プログラムを実行する際に使用されるデータ、ＣＰＵ５４１によって演算処理された処理結果のデータなどを記憶する。なお、プログラムは、コンピュータが読み取り可能なプログラムコードの形で記憶部５４３に記憶されている。
具体的には、記憶部５４３には、例えば、図２に示すように、第１の出力制御プログラム５４３１と、送信制御プログラム５４３２と、などが記憶されている。
【００３７】
第１の出力制御プログラム５４３１は、デコーダ５３により復元された非圧縮ＡＶ情報の非圧縮ＭＣ音声情報のうち、第１のチャンネルの非圧縮音声情報を、当該復元された非圧縮ＡＶ情報から分離抽出された同期情報に従って、第１の音声出力部６に出力させる機能を、ＣＰＵ５４１に実現させる。
また、第１の出力制御プログラム５４３１は、デコーダ５３により復元された非圧縮ＡＶ情報の非圧縮映像情報を、第１の音声出力部６に出力させる第１のチャンネルの非圧縮音声情報に同期させながら、映像表示部７に出力させる機能を、ＣＰＵ５４１に実現させる。
具体的には、ＣＰＵ５４１は、デコーダ５３に指示を出して、第１のチャンネルの非圧縮音声情報を第１の音声出力部６に出力させ、非圧縮映像情報を映像表示部７に出力させる。
ＣＰＵ５４１は、かかる第１の出力制御プログラム５４３１を実行することによって、第１の出力制御手段として機能する。
【００３８】
送信制御プログラム５４３２は、デコーダ５３により復元された非圧縮ＡＶ情報の非圧縮ＭＣ音声情報のうち、第２のチャンネルの非圧縮音声情報を、第１の出力制御プログラム５４３１を実行したＣＰＵ５４１により第１の音声出力部６に出力される第１のチャンネルの非圧縮音声情報に同期させながら、ベースバンド部５２、ＲＦ部５１及びアンテナ５１１を介してサーバ装置１が有するアンテナ１３１に送信する機能を、ＣＰＵ５４１に実現させる。
具体的には、ＣＰＵ５４１は、ベースバンド部５２に指示を出して、第２のチャンネルの非圧縮音声情報を、アンテナ１３１へ送信させる。
ＣＰＵ５４１は、かかる送信制御プログラム５４３２を実行することによって、送信制御手段として機能する。
【００３９】
＜ＡＶ情報出力処理＞
次に、クライアント・サーバシステムＳによるＡＶ情報の出力に関する処理について、図３のフローチャートを参照して説明する。
図３においては、外部機器２から順次入力されるＡＶ情報のうちの、一のＡＶ情報の出力に関する処理について説明することとする。
【００４０】
まず、外部機器２からサーバ装置１のエンコーダ１１に非圧縮ＡＶ情報が入力されると（ステップＳ１１）、サーバ装置１のＣＰＵ１４１は、エンコーダ１１に指示を出して、当該入力された非圧縮ＡＶ情報を圧縮ＡＶ情報に圧縮させる（ステップＳ１２）。
【００４１】
次いで、ＣＰＵ１４１は、ベースバンド部１２に指示を出して、ステップＳ１２で圧縮された圧縮ＡＶ情報を、ＲＦ部１３及びアンテナ１３１を介して、クライアント端末装置５のアンテナ５１１に送信させる（ステップＳ１３）。
【００４２】
ステップＳ１３で送信された圧縮ＡＶ情報を、クライアント端末装置５のアンテナ５１１、ＲＦ部５１及びベースバンド部５２が受信すると（ステップＳ１４）、クライアント端末装置５のＣＰＵ５４１は、デコーダ５３に指示を出して、当該受信した圧縮ＡＶ情報を非圧縮ＡＶ情報に復元させ（ステップＳ１５）、当該非圧縮ＡＶ情報から非圧縮ＭＣ音声情報と非圧縮映像情報と同期情報とを分離抽出させる（ステップＳ１６）。
【００４３】
次いで、ＣＰＵ５４１は、第１の出力制御プログラム５４３１を実行して、デコーダ５３に指示を出して、ステップＳ１６で分離抽出された非圧縮ＭＣ音声情報のうちの第１のチャンネル（「センター」、「フロント左」及び「フロント右」）の非圧縮音声情報を、ステップＳ１６で分離抽出された同期情報に従って、第１の音声出力部６に出力させる（ステップＳ１７）。
【００４４】
ステップＳ１７の処理と同時に、ＣＰＵ５４１は、第１の出力制御プログラム５４３１を実行して、デコーダ５３に指示を出して、ステップＳ１６で分離抽出された非圧縮映像情報を、ステップＳ１７で出力される第１のチャンネルの非圧縮音声情報に同期させながら、映像表示部７に出力させる（ステップＳ１８）。
【００４５】
ステップＳ１７の処理と同時に、ＣＰＵ５４１は、送信制御プログラム５４３２を実行して、ベースバンド部５２に指示を出して、ステップＳ１６で分離抽出された非圧縮ＭＣ音声情報のうちの第２のチャンネル（「リア左」及び「リア右」）の非圧縮音声情報を、ステップＳ１７で出力される第１のチャンネルの非圧縮音声情報に同期させながら、ＲＦ部５１及びアンテナ５１１を介して、サーバ装置１のアンテナ１３１に送信させる（ステップＳ１９）。
【００４６】
ステップＳ１９で送信された第２のチャンネルの非圧縮音声情報を、サーバ装置１のアンテナ１３１、ＲＦ部１３及びベースバンド部１２が受信すると（ステップＳ２０）、サーバ装置１のＣＰＵ１４１は、第２の出力制御プログラム１４３１を実行して、ベースバンド部１２に指示を出して、当該受信した第２のチャンネルの非圧縮音声情報を、第２の音声出力部３に出力させ（ステップＳ２１）、本処理を終了する。
【００４７】
以上説明した本発明のクライアント・サーバシステムＳによれば、圧縮された圧縮ＭＣ音声情報と圧縮映像情報とを含む圧縮ＡＶ情報を送信するベースバンド部１２、ＲＦ部１３及びアンテナ１３１を有するサーバ装置１と、サーバ装置１と無線ネットワークＮを介して接続され、ベースバンド部１２、ＲＦ部１３及びアンテナ１３１により送信された圧縮ＡＶ情報を受信するアンテナ５１１、ＲＦ部５１及びベースバンド部５２を有するクライアント端末装置５と、を備え、クライアント端末装置５が備えるデコーダ５３によって、アンテナ５１１、ＲＦ部５１及びベースバンド部５２により受信された圧縮ＡＶ情報を非圧縮ＡＶ情報に復元することができ、クライアント端末装置５が備える第１の出力制御プログラム５４３１を実行したＣＰＵ５４１によって、デコーダ５３により復元された非圧縮ＡＶ情報の非圧縮ＭＣ音声情報のうち、第１のチャンネル（「センター」、「フロント右」及び「フロント左」）の非圧縮音声情報を、第１の音声出力部６に出力させることができ、クライアント端末装置５が備える送信制御プログラム５４３２を実行したＣＰＵ５４１によって、デコーダ５３により復元された非圧縮ＡＶ情報の非圧縮ＭＣ音声情報のうち、第１のチャンネルと異なる第２のチャンネル（「リア左」及び「リア右」）の非圧縮音声情報を、第１の出力制御プログラム５４３１を実行したＣＰＵ５４１により第１の音声出力部６に出力される第１のチャンネルの非圧縮音声情報に同期させながら、ベースバンド部５２、ＲＦ部５１及びアンテナ５１１を介してサーバ装置１のアンテナ１３１に送信することができ、サーバ装置１が備える第２の出力制御プログラム１４３１を実行したＣＰＵ１４１によって、クライアント端末装置５の送信制御プログラム５４３２を実行したＣＰＵ５４１により送信され、アンテナ１３１、ＲＦ部１３及びベースバンド部１２により受信された第２のチャンネルの非圧縮音声情報を、第２の音声出力部３に出力させることができる。
したがって、サーバ装置１からクライアント端末装置５へ圧縮ＡＶ情報を送信する既存の無線伝送経路を用いて、クライアント端末装置５からサーバ装置１へ第２のチャンネルの非圧縮音声情報を送信することができ、さらに、サーバ装置１に第２のチャンネルの非圧縮情報を出力するための第２の音声出力部３が接続されているため、接続コードが邪魔になるなどの問題も生じない。すなわち、無線伝送経路も外観もシンプルなＭＣ音声情報対応型のクライアント・サーバシステムＳとすることができる。
また、クライアント端末装置５からサーバ装置１へ送信されるのは、非圧縮の音声情報であるため、既存のクライアント端末装置に、新たに、情報を圧縮するためのエンコーダを備える必要がなく、都合がよい。
さらに、クライアント端末装置５からサーバ装置１へ送信されるのは、音声情報であるため、非圧縮であっても、送信の際に生じる伝送遅延は、人間の視聴特性からすれば無視できるほど小さい遅延となって、聞き心地の良好なＭＣ音声情報対応型のクライアント・サーバシステムＳとすることができる。
【００４８】
なお、本発明は、上記した実施の形態のものに限るものではなく、その要旨を逸脱しない範囲で適宜変更可能である。
「センター」、「フロント左」、「フロント右」、「リア左」及び「リア右」の５チャンネルのうち、「センター」、「フロント左」及び「フロント右」の３チャンネルを第１のチャンネルとし、「リア左」及び「リア右」の２チャンネルを第２のチャンネルとしたが、第１のチャンネルは、５チャンネルのうちの一乃至複数のチャンネルであれば任意であり、第２のチャンネルも、５チャンネルのうちの一乃至複数のチャンネルであれば任意である。すなわち、第１のチャンネルと第２のチャンネルは、同じであっても良いし、一部が重複していても良いし、また、全く異なるものであってもよい。
ＭＣ音声情報を構成するチャンネルは、５チャンネルの限りでなく、任意である。
クライアント端末装置５に接続される第１の音声出力部６が有するスピーカは、第１のチャンネルに応じて適宜変更することができ、サーバ装置１に接続される第２の音声出力部３が有するスピーカは、第２のチャンネルに応じて適宜変更することができる。
【００４９】
サーバ装置１に接続される外部機器２から出力される情報には、少なくとも、ＭＣ音声情報（非圧縮ＭＣ音声情報）が含まれていればよく、外部機器２は、ＭＣ音声情報のみを出力する、例えば、ＣＤ（Compact Disc）プレイヤーなどであってもよい。
【図面の簡単な説明】
【００５０】
【図１】本発明にかかるクライアント・サーバシステムの全体構成を示す図である。
【図２】本発明にかかるクライアント・サーバシステムの機能的構成を示すブロック図である。
【図３】クライアント・サーバシステムによるＡＶ情報の出力に関する処理を説明するためのフローチャートである。
【符号の説明】
【００５１】
１  サーバ装置
３  第２の音声出力部（第２の音声出力手段）
１２  ベースバンド部（第１の通信手段）
１３  ＲＦ部（第１の通信手段）
１３１  アンテナ（第１の通信手段）
１４１  ＣＰＵ（第２の出力制御手段）
１４３１  第２の出力制御プログラム（第２の出力制御手段）
５  クライアント端末装置
６  第１の音声出力部（第１の音声出力手段）
５１  ＲＦ部（第２の通信手段）
５２  ベースバンド部（第２の通信手段）
５３  デコーダ（復元手段）
５１１  アンテナ（第２の通信手段）
５４１  ＣＰＵ（第１の出力制御手段、送信制御手段）
５４３１  第１の出力制御プログラム（第１の出力制御手段）
５４３２  送信制御プログラム（送信制御手段）
Ｎ  無線ネットワーク
Ｓ  クライアント・サーバシステム
【図１】
2007116341.tif 000003
【図２】
2007116341.tif 000004
【図３】
2007116341.tif 000005